(57)【要約】  照明システムは、発光制御コマンドを送信するマスタ装置と、複数のモジュールとを備え、更に、マスタ装置に設けられ、所定のタイミングでアドレスを順次設定し、設定したアドレスを含むアドレス付与コマンドを通信線に送出する送信手段と、所定のタイミングに同期して複数の照明モジュールのうちから予め定められた順番でコマンド受信可能状態となる１つの照明モジュールを設定するスイッチ手段と、を含み、複数の照明モジュール各々は、スイッチ手段によって１つの照明モジュールとして設定されたときアドレス付与コマンドを受信してアドレス付与コマンドに含まれるアドレスを取得する取得手段と、取得手段によって取得されたアドレスに対応して発光制御コマンド内から自身用の制御データを取り出す手段と、を有する。
2014016903.tif 000002
【特許請求の範囲】
【請求項１】
面光源と、マスタ装置から送信された発光制御コマンドを通信線を介して受信し、受信した前記発光制御コマンドに含まれる自身用の制御データに応じて前記面光源を駆動制御する駆動制御部とを備える照明モジュールであって、
前記通信線に接続されるべきオンオフスイッチを含み、
前記オンオフスイッチは前記面光源及び前記駆動制御部と一体に結合していることを特徴とする照明モジュール。
【請求項２】
前記照明モジュールは他の照明モジュールと共に前記マスタ装置に対して前記通信線によりデイジーチェーン接続され、
前記オンオフスイッチは前記マスタ装置からの前記通信線の上流側と下流側との間に挿入されるべきであることを特徴とする請求項１記載の照明モジュール。
【請求項３】
前記駆動制御部は、前記マスタ装置から送信されるアドレス付与コマンドを受信して前記アドレス付与コマンドに含まれるアドレスを取得する取得手段と、
前記取得手段によって取得されたアドレスに対応して前記発光制御コマンド内から前記自身用の制御データを取り出す手段と、を有することを特徴とする請求項２記載の照明モジュール。
【請求項４】
前記オンオフスイッチは、前記取得手段によってアドレスが取得されるまではオフとされ、その後、オンとされることを特徴とする請求項３記載の照明モジュール。
【請求項５】
前記発光制御コマンドはスロット列を有するシリアル通信コマンドであり、
前記アドレスは前記スロット列中の１つのスロットを指定するアドレスであることを特徴とする請求項４記載の照明モジュール。
【請求項６】
前記駆動制御部は、前記マスタ装置から送信されるアドレスモード開始コマンドの受信に応じて動作モードをアドレスモードにして前記オンオフスイッチをオフせしめることを特徴とする請求項５記載の照明モジュール。
【請求項７】
前記駆動制御部は、前記アドレスを取得すると前記アドレスモードを終了することを特徴とする請求項６記載の照明モジュール。
【請求項８】
発光制御コマンドを送信するマスタ装置と、
各々が面光源を有し、前記マスタ装置から送信された前記発光制御コマンドを通信線を介して受信し、受信した前記発光制御コマンドに含まれる自身用の制御データに応じて前記面光源を各々が駆動制御する複数の照明モジュールと、を備える照明システムであって、
前記マスタ装置に設けられ、所定のタイミングでアドレスを順次設定し、設定したアドレスを含むアドレス付与コマンドを前記通信線に送出する送信手段と、
前記所定のタイミングに同期して前記複数の照明モジュールのうちから予め定められた順番でコマンド受信可能状態となる１つの照明モジュールを設定するスイッチ手段と、を含み、
前記複数の照明モジュール各々は、前記スイッチ手段によって前記１つの照明モジュールとして設定されたとき前記アドレス付与コマンドを受信して前記アドレス付与コマンドに含まれるアドレスを取得する取得手段と、
前記取得手段によって取得されたアドレスに対応して前記発光制御コマンド内から前記自身用の制御データを取り出す手段と、を有することを特徴とする照明システム。
【発明の詳細な説明】
【技術分野】
【０００１】
本発明は、面光源を有する複数の照明モジュールと、複数の照明モジュールを制御するマスタ装置を備える照明システムとに関する。
【背景技術】
【０００２】
発光源として有機ＥＬ素子を有する有機ＥＬパネルを用いた発光装置が提案されている。有機ＥＬパネルを用いた発光装置には、面発光で形状に制約がないという特徴があり、そのような特徴はＬＥＤ（発光ダイオード）発光装置等の他の発光装置では得られないので、今後の実用化に向けた更なる開発が期待されている。【０００３】
一般に、発光装置の発光源としての有機ＥＬパネルは、透明基板上に形成されたＩＴＯ等の透明導電膜からなる陽極と、Ａｌ等の金属からなる陰極と、陽極と陰極との間に挟まれた有機多層構造の有機発光機能層とを有している（特許文献１）。有機発光機能層は有機材料からなり、陽極側から順に例えば、ホール注入・輸送層、発光層、電子輸送層、及び電子注入層の積層からなり、例えば、真空蒸着法又はインクジェット法を用いて積層形成することができる。このような有機ＥＬパネルは、パネル全体で高輝度が得られるようにストライプ状に有機発光機能層を形成している。【０００４】
また、このような有機ＥＬパネルの複数を平面的に並べること（タイリングという）により、光る天井や、光る壁等の新規の照明形態が可能となり、日常生活に新しい価値を提供することが期待されている。【０００５】
タイリングによる照明形態の１つとして、全ての有機ＥＬパネルを同一に点灯及び消灯する形態がある。この場合には全ての有機ＥＬパネルの電源をオン/オフすることにより簡単に実現することができる。【０００６】
他の照明形態としては、複数の有機ＥＬパネル各々を個別に制御して天井全体や壁全体で演出照明を行う形態が考えられる。例えば、有機ＥＬパネル毎に輝度や色を制御して２次元的な有意な情報やパターンを表現することができる。【０００７】
このような演出照明を行う有機ＥＬパネルの制御に適した照明制御技術としてはＤＭＸ５１２−Ａ規格がある。【０００８】
ＤＭＸ５１２−Ａの規格を用いる照明システムでは、照明制御を司る１つのマスタ装置と、照明制御を受ける複数の照明モジュール（スレーブ装置）とからなる構成が前提となっている。上記したように複数の有機ＥＬパネルをタイリングした照明システムにＤＭＸ５１２−Ａの規格を適用すると、マスタ装置は複数の照明モジュール各々に対して通信線を介して制御データを含むコマンドを送信し、有機ＥＬパネルを含む複数の照明モジュール各々ではコマンドを受信してコマンド中の制御データに従って有機ＥＬパネルを駆動することが行われる。
【先行技術文献】
【特許文献】
【０００９】
【特許文献１】特許第４５６７０９２号公報
【発明の概要】
【発明が解決しようとする課題】
【００１０】
しかしながら、ＤＭＸ５１２−Ａの規格を用いる照明システムでは、照明モジュール各々に異なるアドレスを割り当てて複数の照明モジュールを区別して認識する必要がある。従来の照明システムでは、複数の照明モジュール各々に対してアドレスをディップスイッチやロータリースイッチを用いて設定する方法が一般的である。このアドレス設定は手作業で行う必要があり、照明モジュールの台数が多くなれば大変な作業であることは容易に想像することができる。また、アドレス値を人手で設定する作業ではアドレスの重複等の間違いが生じ易いのでその間違いの有無を確認することもむろん大変な作業となる。【００１１】
更に、手作業のアドレス設定が面倒だという以外に、別の課題もある。上記したように有機ＥＬパネルのような面発光パネルの重要な用途にタイリングがある。ユーザから見えるタイリング表面は有機ＥＬパネルの発光面のみであって、照明モジュール内の上記したスイッチ、パネルの駆動制御部及び配線等の部分はパネル背面側、例えば、天井内に隠して施工されるべきである。よって、アドレス設定作業は照明モジュールの取付面に設置前に完了しなければならないし、また、照明モジュールの設置後のアドレス設定や変更は困難であるという欠点があった。【００１２】
更に言えば、単に個別のアドレスが設定されれば良いという訳でなく、各照明モジュールのタイリング上の位置とアドレスとの対応関係がマスタ装置或いはユーザに完全に認識されなければ、意図した照明演出を正しく実現できないことは言うまでもない。【００１３】
そこで、本発明が解決しようとする課題は、上記の欠点が一例として挙げられ、簡単な手作業だけで各照明モジュールの位置とアドレスとの対応関係が明確になるように各照明モジュールへのアドレス割り当てを行うことができる照明モジュール及び照明システムを提供することが本発明の目的である。
【課題を解決するための手段】
【００１４】
請求項１に係る発明の照明モジュールは、面光源と、マスタ装置から送信された発光制御コマンドを通信線を介して受信し、受信した前記発光制御コマンドに含まれる自身用の制御データに応じて前記面光源を駆動制御する駆動制御部とを備える照明モジュールであって、前記通信線に接続されるべきオンオフスイッチを含み、前記オンオフスイッチは前記面光源及び前記駆動制御部と一体に結合していることを特徴としている。【００１５】
請求項８に係る発明の照明システムは、発光制御コマンドを送信するマスタ装置と、  各々が面光源を有し、前記マスタ装置から送信された発光制御コマンドを通信線を介して受信し、受信した前記発光制御コマンドに含まれる自身用の制御データに応じて前記面光源を各々が駆動制御する複数の照明モジュールと、を備える照明システムであって、  前記マスタ装置に設けられ、所定のタイミングでアドレスを順次設定し、設定したアドレスを含むアドレス付与コマンドを前記通信線に送出する送信手段と、前記所定のタイミングに同期して前記複数の照明モジュールのうちから予め定められた順番でコマンド受信可能状態となる１つの照明モジュールを設定するスイッチ手段と、を含み、前記複数の照明モジュール各々は、前記スイッチ手段によって前記１つの照明モジュールとして設定されたとき前記アドレス付与コマンドを受信して前記アドレス付与コマンドに含まれるアドレスを取得する取得手段と、前記取得手段によって取得されたアドレスに対応して前記発光制御コマンド内から前記自身用の制御データを取り出す手段と、を有することを特徴としている。
【図面の簡単な説明】
【００１６】
【図１】本発明の実施例の照明システムを示すブロック図である。
【図２】図１の照明モジュール内の面光源の断面図である。
【図３】図１の照明システムで用いられる非同期シリアル通信のコマンドフォーマットを示す図である。
【図４】図１の照明システムで用いられるＤＭＸ５１２−Ａ規格の独自コマンドのコマンドフォーマットを示す図である。
【図５】図１の照明システムのアドレス割り当て動作のシーケンス図である。
【図６】アドレスモードで使用されるコマンドのコマンドフォーマットを示す図である。
【図７】図６のコマンドの種類と種類毎の各パラメータの内容とを示す図である。
【図８】ＤＭＸコマンドのコマンドフォーマットを示す図である。
【実施例】
【００１７】
以下、本発明の実施例を、図面を参照しつつ詳細に説明する。【００１８】
図１に示された実施例の照明システムにおいては、照明制御マスタ１１（マスタ装置）と複数の照明モジュール（スレーブ装置）１２０〜１２ｎ（なお、ｎは正の整数である）とが設けられ、照明制御マスタ１１と複数の照明モジュール１２０〜１２ｎとの間には通信線１３が設けられている。【００１９】
照明制御マスタ１１は複数の照明モジュール１２０〜１２ｎ各々の動作を制御するコントローラである。照明制御マスタ１１は通信Ｉ/Ｆ（インターフェース）部２１、及びマスタ通信制御部２２を有している。通信ＩＦ部２１は通信線１３に接続され、複数の照明モジュール１２０〜１２ｎ各々について後述のコマンドを送受信する。マスタ通信制御部２２は通信ＩＦ部２１に接続され、例えば、マイクロコンピュータからなり、複数の照明モジュール１２０〜１２ｎ各々の動作を制御するコマンドを作成してそれを送信させるべく通信Ｉ/Ｆ部２１に供給する。また、マスタ通信制御部２２は通信Ｉ/Ｆ部２１が受信したコマンドの内容を解釈してそれに応答するためのコマンドを作成する。【００２０】
操作部２３はマスタ通信制御部２２に接続され、ユーザの入力操作を受け入れ、マスタ通信制御部２２に対して入力操作に対応した指令を発する。操作部２３は実施例では照明制御マスタ１１の外部に設けられているが、照明制御マスタ１１の一部としても良い。【００２１】
複数の照明モジュール１２０〜１２ｎ各々は後述の有機ＥＬ素子からなる面光源３４を有する有機ＥＬパネルとして天井や壁などにタイリングされる。複数の照明モジュール１２０〜１２ｎ各々は同一の構成を有しており、通信Ｉ/Ｆ（インターフェース）部３１、スレーブ通信制御部３２、発光制御部３３、及び面光源３４を有している。通信Ｉ/Ｆ部３１、スレーブ通信制御部３２、及び発光制御部３３が面光源３４の駆動制御部である。【００２２】
通信Ｉ/Ｆ部３１は通信線１３に接続され、照明制御マスタ１１に対してコマンドを送受信する。スレーブ通信制御部３２は、通信Ｉ/Ｆ部３１及び発光制御部３３に別々に接続され、通信Ｉ/Ｆ部３１が受信したコマンド中の自身宛の制御データを抽出してそれを発光制御部３３に供給する。また、スレーブ通信制御部３２は、通信Ｉ/Ｆ部３１が受信したコマンドの内容を解釈してそれに応答するためのコマンドを作成する。発光制御部３３は面光源３４に接続され、スレーブ通信制御部３２から供給される制御データに応じて面光源３４を駆動制御する。スレーブ通信制御部３２及び発光制御部３３については例えば、１つのマイクロコンピュータから構成しても良い。【００２３】
面光源３４は図２に示すように、ガラス基板４０上に透明電極４１が陽極として形成されている。透明電極４１は例えば、スパッタ法により形成され、ＩＴＯ膜からなる。透明電極４１上には長手形状の複数のバンク４２が等間隔で並置されている。バンク４２は有機絶縁材料からなる。スピンコート法又は印刷法で透明電極４１上に有機絶縁材料を塗布し、乾燥後、フォトリソグラフィ技術によりパターニングを行うことによりバンク４２が形成される。バンク４２は、その長手方向に垂直な方向の断面が台形状であり透明電極４１上において順テーパの側面を有している。なお、バンク４２の形成位置の透明電極４１上には図示しない給電用のバスラインが形成され、バンク４２によってそのバスラインは覆われている。【００２４】
隣接するバンク４２間に上記した発光領域が位置している。各発光領域には有機発光構造層として、ホール注入層４３、発光層４４、及び電子注入層４５がその順に形成されている。ホール注入層４３、発光層４４、及び電子注入層４５各々は、その材料を含むインクをインクジェット法等の塗布法を用いて塗布し、塗布後に乾燥処理することにより形成されている。発光層４４については隣接する発光領域で異なる色の発光層が配置されており、赤発光層４４（Ｒ）、緑発光層４４（Ｇ）及び青発光層４４（Ｂ）の順にバンク４２の並置方向に向けて繰り返されている。なお、有機発光構造層は上記した構成に限定されず、ホール注入層４３と発光層４４との間にホール輸送層が形成され、発光層４４と電子注入層４５との間に電子輸送層が形成された構成でも良い。【００２５】
電子注入層４５上には例えば、真空蒸着法にてＡｌ膜が例えば、真空蒸着形成され、更に、フォトリソグラフィ技術によりパターニングを行うことによりＲＧＢ毎に金属電極４６（Ｒ）、４６（Ｇ）及び４６（Ｂ）が陰極として形成されている。【００２６】
発光制御部３３は透明電極４１と金属電極４６（Ｒ）、４６（Ｇ）及び４６（Ｂ）各々との間に駆動電流を個別に供給する。各駆動電流のレベルは上記の制御データに応じて定まり、駆動電流のレベルに応じた輝度で発光領域では発光する。【００２７】
面光源３４の発光層４４（４４（Ｒ），４４（Ｇ），４４（Ｂ））が発光すると、その光はホール注入層４３、透明電極２１、そしてガラス基板４０を介して外部に出射される。また、発光層２４で生成した光は電子注入層４５を介して金属電極４６（４６（Ｒ），４６（Ｇ），４６（Ｂ））で反射し、その反射光が電子注入層４５、発光層４４、ホール注入層４３、透明電極４１、そしてガラス基板４０を介して外部に出射される。出射される光は赤色光、緑色光及び青色光が各々の輝度に応じて混色される。赤色光、緑色光及び青色光各々の輝度が同一ならば白色光として出射される。【００２８】
複数の照明モジュール１２０〜１２ｎ各々は更にオンオフスイッチ３５を有している。オンオフスイッチ３５は照明モジュール１２０〜１２ｎ各々において面光源３４及び上記した駆動制御部と一体に結合している。例えば、オンオフスイッチ３５、面光源３４及び駆動制御部は同一の基板上に形成されている。また、照明モジュール１２０〜１２ｎの全てのオンオフスイッチ３５がスイッチ手段である。【００２９】
スイッチ３５のオン／オフはスレーブ通信制御部３２によって制御される。スイッチ３５は通信線１３に接続されている。複数の照明モジュール１２０〜１２ｎは照明制御マスタ１１に対して照明モジュール１２０から照明モジュール１２ｎまでデイジーチェーン接続されている。通信線１３は照明制御マスタ１１と複数の照明モジュール１２０との間、及び複数の照明モジュール１２０〜１２ｎ各々の間を接続している。スイッチ３５は２つの端子（一端及び他端）を有し、複数の照明モジュール１２０各々においてスイッチ３５の一端は照明制御マスタ１１側の通信線１３の上流に接続され、他端は通信線１３の下流に接続されている。照明制御マスタ１１は通信線１３を介して照明モジュール１２０のスイッチ３５の一端に接続され、照明モジュール１２０のスイッチ３５の他端は通信線１３を介して照明モジュール１２１のスイッチ３５の一端に接続されている。照明モジュール１２１のスイッチ３５の他端は通信線１３を介して照明モジュール１２２のスイッチ３５の一端に接続されている。それ以降の照明モジュール１２ｎのスイッチ３５の一端までの接続も同様である。上記した通信Ｉ/Ｆ部３１は照明モジュール１２０〜１２ｎ各々において通信線１３の上流であるスイッチ３５の一端に接続されている。【００３０】
かかる構成の照明システムにおいて、照明制御マスタ１１による複数の照明モジュール１２０〜１２ｎの制御には上記したように、ＤＭＸ５１２−Ａという通信プロトコルの規格が用いられている。【００３１】
ＤＭＸ５１２−Ａでは、通信線の電気仕様としてＥＩＡ−４８５規格(＝ＲＳ−４８５規格)が採用されており、非同期シリアル通信が行われる。非同期シリアル通信のコマンドフォーマットは、図３に示すように、ブレーク信号と呼ばれるスタート信号の後、１バイトのスタートコード（スロット０）と、それに続く５１２バイトのデータ部分（スロット１〜５１２）とからなるシンプルなパケット構成を持っている。一般に、使用されるのはスタートコード＝０ｘ００、ヌルコマンドと呼ばれるもので、これで照明制御や各種機器制御が行われる。【００３２】
また独自コマンドを送信する機能もあり、図４に示すように、スタートコードは０ｘ９１、次に２バイトのManufacturer IDと呼ばれる会社・組織を識別するＭＩＤ、その後のスロットでデータ（＝独自コマンド）が送信される。なお、ＭＩＤ−ＨはＭＩＤの上位バイトであり、ＭＩＤ−ＬはＭＩＤの下位バイトである。【００３３】
ＤＭＸ５１２−Ａの規格を用いて複数の機器を制御する場合には、各機器にＤＭＸアドレスと呼ばれる値を設定することが行われる。このＤＭＸアドレスに相当するスロット位置のデータが、その機器への指示となる。つまり各機器への指示が１バイトの場合、最大５１２台の機器を制御できることになる。【００３４】
よって、実施例の照明システムでは、照明制御マスタ１１が制御対象の照明モジュール１２０〜１２ｎの各々を制御するためには事前にＤＭＸアドレスを照明モジュール１２０〜１２ｎに付与する（割り当てる）ことが必要となる。【００３５】
次に、ＤＭＸアドレス付与動作について図５のシーケンス図を参照しつつ説明する。【００３６】
ＤＭＸアドレスを付与する動作を開始するに当たっては、先ず、照明システム全体がアドレスモードに設定される。これは、ユーザによる操作部２３への入力操作によってアドレス付与指令が操作部２３から生成され（ステップＳ１）、そのアドレス付与指令に応じてマスタ通信制御部２２が複数の照明モジュール１２０〜１２ｎ各々に対してアドレスモード開始のためのコマンドを作成する。作成されたアドレスモード開始コマンドは通信ＩＦ部２１に渡され、通信ＩＦ部２１によって通信線１３を経て各照明モジュール１２０〜１２ｎに送信される（ステップＳ２）。【００３７】
ここで、使用されるコマンドでは上記したＤＭＸ５１２−Ａ規格の独自コマンドのフォーマットが利用される。図６に示すように、スロット０〜スロット２は図４に示した通りである。スロット３がコマンド長（バイト数）、スロット４がコマンド内容を示すコマンド番号である。図７に示すように、アドレスモード開始についてはスロット３のコマンド長は０ｘ０１、スロット４のコマンド番号は０ｘ００である。【００３８】
また、この独自コマンドのフォーマットは図７から分かるように、アドレスモード開始コマンドに限らず、アドレス付与コマンドでも使用される。アドレス付与コマンドでは、コマンド長が０ｘ０３であり、スロット５及び６が使用される。スロット５はＤＭＸアドレスの上位８ビット（ＡＤ−Ｈ）、スロット６はＤＭＸアドレスの下位８ビット（ＡＤ−Ｌ）である。ここに示したコマンドはアドレスモードにおいて使用されるコマンドであり、照明制御マスタ１１からのコマンド送信だけでなく、照明モジュール１２０〜１２ｎからのコマンド送信が実行される。【００３９】
照明モジュール１２０〜１２ｎ各々においては、通信Ｉ/Ｆ部３１が照明制御マスタ１１から送信されたアドレスモード開始コマンドを受信する。受信されたコマンドはスレーブ通信制御部３２に供給され、スレーブ通信制御部３２はコマンドのスロット０が独自コマンドを示す０ｘ９１を検出すると、その後のスロット４のコマンド番号０ｘ００に応じて照明モジュールの動作モードをアドレスモードに設定する（ステップＳ３）。【００４０】
アドレスモードでは、先ず、複数の照明モジュール１２０〜１２ｎ各々においてスレーブ通信制御部３２はオンオフスイッチ３５をオフする（ステップＳ４）。ステップＳ４の実行後には、照明制御マスタ１１は照明モジュール１２０だけに通信線１３を介して通信可能に接続されている。すなわち、１つの照明モジュールとして照明モジュール１２０が設定されたことになる。【００４１】
また、アドレスモードでは、照明制御マスタ１１においては、マスタ通信制御部２２がＤＭＸアドレスを決定する（ステップＳ５）。ＤＭＸアドレスの値はアドレスモードの開始後、予め定められたタイミングで順番に昇順するように決定される。そして、その決定したＤＭＸアドレスを含むアドレス付与コマンドを作成する。アドレス付与コマンドは上記したようにスロット５にＤＭＸアドレスの上位８ビット（ＡＤ−Ｈ）を含み、スロット６にＤＭＸアドレスの下位８ビット（ＡＤ−Ｌ）を含む。【００４２】
作成されたアドレス付与コマンドは通信ＩＦ部２１に渡され、通信ＩＦ部２１によって通信線１３に出力される（ステップＳ６）。このときには通信線１３は照明モジュール１２０〜１２ｎのうちの照明モジュール１２０にだけ接続されているので、アドレス付与コマンドは照明モジュール１２０に送信される。ステップＳ５のＤＭＸアドレスの決定及びステップＳ６のアドレス付与コマンドの送信が送信手段に相当する。【００４３】
照明モジュール１２０においては、通信Ｉ/Ｆ部３１が照明制御マスタ１１から送信されたアドレス付与コマンドを受信する。受信されたコマンドはスレーブ通信制御部３２に供給され、スレーブ通信制御部３２は、供給されたコマンドのスロット０〜スロット４に応じてアドレス付与コマンドであることを確認すると、スロット５及びスロット６からＤＭＸアドレスを取り出してそれを自身のアドレスとして設定し（ステップＳ７）、スイッチ３５をオンとし（ステップＳ８）、そして、照明モジュール１２０のアドレスモードを終了する（ステップＳ９）。ステップＳ７の自身のアドレスの設定ではそのＤＭＸアドレスは例えば、メモリに記憶される。ステップＳ８の照明モジュール１２０のスイッチ３５のオンにより、照明制御マスタ１１は照明モジュール１２０，１２１だけに通信線１３を介して通信可能に接続される。ステップＳ９のアドレスモードの終了により、照明モジュール１２０ではアドレス付与コマンドを受信してもスレーブ通信制御部３２はそれを無視する。なお、ステップＳ７のアドレス付与コマンドからのアドレスの取り出しが取得手段に相当する。【００４４】
照明モジュール１２０のステップＳ７〜Ｓ９の動作が完了した後、照明制御マスタ１１においては、マスタ通信制御部２２が次のＤＭＸアドレスを決定する（ステップＳ１０）。マスタ通信制御部２２がステップＳ６のアドレス付与コマンドを送信してからステップＳ１０で次のＤＭＸアドレスの決定を開始するまでの時間は照明モジュール１２０のステップＳ７〜Ｓ９の合計動作時間より大である。【００４５】
ステップＳ１０で作成されたアドレス付与コマンドは通信ＩＦ部２１に渡され、通信ＩＦ部２１によって通信線１３に出力される（ステップＳ１１）。このときには照明制御マスタ１１からの通信線１３は照明モジュール１２０〜１２ｎのうちの照明モジュール１２０，１２１にだけ接続されているので、アドレス付与コマンドは照明モジュール１２０，１２１に送信される。ただし、上記したように照明モジュール１２０ではアドレスモードを終了しているのでアドレス付与コマンドは無視される。【００４６】
照明モジュール１２１においては、通信Ｉ/Ｆ部３１が照明制御マスタ１１から送信されたアドレス付与コマンドを受信する。受信されたコマンドはスレーブ通信制御部３２に供給され、スレーブ通信制御部３２は、供給されたコマンドのスロット０〜スロット４に応じてアドレス付与コマンドであることを確認すると、スロット５及びスロット６からＤＭＸアドレスを取り出してそれを自身のアドレスとして設定し（ステップＳ１２）、スイッチ３５をオンとし（ステップＳ１３）、そして、照明モジュール１２１のアドレスモードを終了する（ステップＳ１４）。ステップＳ１２〜Ｓ１４の動作は照明モジュール１２０におけるステップＳ７〜Ｓ９の動作と同一である。【００４７】
このように以降の照明モジュール１２２〜１２ｎについてもその順に照明制御マスタ１１からアドレス付与コマンドが送信されてステップＳ７〜Ｓ９と同様の動作が行われる。【００４８】
照明制御マスタ１１においては、マスタ通信制御部２２が上記した予め定められたタイミングでＤＭＸアドレスを設定可能な最大値まで繰り返し決定し続ける。ＤＭＸアドレスの決定回数は照明モジュール１２０〜１２ｎの数ｎ＋１以上である。そして、マスタ通信制御部２２は、ＤＭＸアドレスの最大値を決定し（ステップＳ２１）、それを通信ＩＦ部２１により通信線１３に出力させる（ステップＳ２２）と、アドレスモードの動作を終了する（ステップＳ２３）。【００４９】
なお、マスタ通信制御部２２が照明モジュール１２０〜１２ｎの数ｎ＋１を知っているならば、照明モジュール１２ｎに対する設定可能なＤＭＸアドレスの最大値を決定し、それを通信ＩＦ部２１により通信線１３に出力させると、アドレスモードの動作を終了するようにしても良い。【００５０】
アドレスモードの終了によりＤＭＸアドレスが設定された照明モジュールについては、動作モードは照明制御モードとなる。照明制御モードでは通常、コマンドは照明制御マスタ１１から照明モジュール１２０〜１２ｎへ送信されるだけである。【００５１】
実施例の照明システムにおいては、ＲＧＢの輝度を各１バイト、計３バイトで指示することが行われる。よって、発光制御コマンドであるＤＭＸコマンドの３スロットが１つの照明モジュールの制御データの収納のために使用される。この場合には、図８に示すように、スロットｍが赤の輝度データ、スロットｍ＋１が緑の輝度データ、スロットｍ＋２が青の輝度データとなり、ＤＭＸアドレスは３スロットの先頭位置であるスロットｍを指示する。最大接続機器数は５１２/３＝１７０.６．．．、つまり照明モジュール１２０〜１２ｎをｎ＝１７０台まで使用することができる。【００５２】
照明制御マスタ１１においては、照明制御モードでユーザによる操作部２３への入力操作によって調色指令が操作部２３から生成されると、マスタ通信制御部２２がその調色指令に応じて複数の照明モジュール１２０〜１２ｎ各々、すなわち、ＤＭＸアドレス各々に対するＲＧＢの調色のデータを含むＤＭＸコマンドを作成する。このＤＭＸコマンドは図８に示したデータフォーマットを有している。そして、ＤＭＸコマンドは通信ＩＦ部２１によって通信線１３を経て各照明モジュール１２０〜１２ｎに送信される。【００５３】
照明モジュール１２０〜１２ｎ各々においては、通信Ｉ/Ｆ部３１が照明制御マスタ１１から送信されたＤＭＸコマンドを受信する。受信されたＤＭＸコマンドはスレーブ通信制御部３２に供給され、スレーブ通信制御部３２はＤＭＸコマンドのスロット０がヌルコマンドを示すことを検出すると、上記したステップＳ７，Ｓ１２等のステップで設定された自身のＤＭＸアドレスに対応したＤＭＸコマンドのスロットから連続した３スロットのデータを赤の輝度データ、緑の輝度データ、及び青の輝度データとして取り出す（制御データを取り出す手段に相当する）。それらのＲＧＢ（赤緑青）の輝度データは発光制御部３３に供給される。発光制御部３３は面光源３４の透明電極４１と金属電極４６（Ｒ）との間に赤の輝度データに対応した値の駆動電流を供給し、透明電極４１と金属電極４６（Ｇ）との間に緑の輝度データに対応した値の駆動電流を供給し、透明電極４１と金属電極４６（Ｂ）との間に青の輝度データに対応した値の駆動電流を供給する。これらの面光源３４への駆動電流の供給により面光源３４の発光色が調色される。【００５４】
このように、実施例の照明システムにおいては、照明モジュール１２０〜１２ｎ各々にオンオフスイッチ３５を設けたので、照明モジュール１２０〜１２ｎ各々を天井や壁などに取り付けた後に、照明モジュール１２０〜１２ｎ各々にＤＭＸアドレスを簡単に付与することができる。また、照明モジュール１２０〜１２ｎのデイジーチェーンの接続順にＤＭＸアドレスが設定されるので、ＤＭＸアドレスと照明モジュール１２０〜１２ｎ各々との関係を明確にすることが可能となる。【００５５】
更に、ＤＭＸアドレスが付与された照明モジュール１２０〜１２ｎに、更に照明モジュールを追加してもＤＭＸアドレスを再付与することが容易に可能である。【００５６】
また、コマンドを送信することは照明制御マスタ１１のみが行い、照明モジュール１２０〜１２ｎはコマンドを受信するだけであるので、コマンドの衝突が生じ得ない。【００５７】
なお、上記した実施例においては、ＤＭＸ５１２−Ａ規格を用いて照明制御マスタ１１が複数の照明モジュール１２０〜１２ｎを制御する照明システムにおいて照明モジュールにアドレスを設定することが示されているが、ＤＭＸ５１２−Ａの規格以外の規格を用いた照明システムに、照明モジュールにアドレスを設定するために本発明を適用することができることは勿論である。【００５８】
更に、上記した実施例では、アドレス（ＤＭＸアドレス）はＤＭＸコマンドのスロット番号を表しているが、本発明はこれに限定されない。【００５９】
また、上記した実施例においては、照明モジュールには面光源として有機ＥＬ素子が用いられているが、有機ＥＬ素子以外のＬＥＤ（発光ダイオード）等の発光素子を用いても良い。
【符号の説明】
【００６０】
１１  照明制御マスタ
１２０〜１２ｎ，１２ｋ，１２ｅｎｄ  照明モジュール
１３  通信線
２１，３１  通信Ｉ/Ｆ部
２２  マスタ通信制御部
２３  操作部
３２  スレーブ通信制御部
３３  発光制御部
３４  面光源
３５  オンオフスイッチ
４１  透明電極
４２  バンク
４３  ホール注入層
４４（Ｒ），４４（Ｇ），４４（Ｂ）  発光層
４５  電子注入層
４６（Ｒ），４６（Ｇ），４６（Ｂ）  金属電極
【図１】
2014016903.tif 000003
【図２】
2014016903.tif 000004
【図３】
2014016903.tif 000005
【図４】
2014016903.tif 000006
【図５】
2014016903.tif 000007
【図６】
2014016903.tif 000008
【図７】
2014016903.tif 000009
【図８】
2014016903.tif 000010
【国際調査報告】
2014016903.tif 000011
2014016903.tif 000012
2014016903.tif 000013
2014016903.tif 000014